(57)【特許請求の範囲】
【請求項１】
ネットワークを介してストリーミングコンテンツを受信する受信機であって、
ネットワークを介してデータを送受信する通信部と、
当該ストリーミングコンテンツの識別情報を登録する記憶部と、
前記通信部によって当該ストリーミングコンテンツのメタ情報を受信するメタ情報受信部と、
チャンネルごとに当該ストリーミングコンテンツのインデックスを所定の方向に配列させたチャンネルリストを表示し、当該インデックス上にそれぞれ前記メタ情報を表示するチャンネルリスト表示部と、
操作部の方向操作子によりいずれかの方向に移動する操作要素で当該インデックスを指し示し、指し示した当該インデックスを、前記操作部によって指示するコンテンツ決定部と、
前記操作部の決定操作子によって指示された当該インデックスが属する当該チャンネルリストについて、順番に当該ストリーミングコンテンツの本体を受信するコンテンツ受信部と、
受信した当該ストリーミングコンテンツを再生するコンテンツ再生部と、
前記操作部の登録操作子によって指示されて前記記憶部に識別情報が登録されたストリーミングコンテンツの本体を前記通信部によって受信できるか否かを判断し、更に前記ストリーミングコンテンツの本体が受信できなかったならば、前記通信部によってネットワークへの接続が可能であるか否かを判断し、ネットワークへ接続できたならば、既に削除されている当該ストリーミングコンテンツの本体にアクセスすることが無いように当該ストリーミングコンテンツの識別情報を前記記憶部から削除し、ネットワークへ接続できなかったならば、当該ストリーミングコンテンツの識別情報を前記記憶部から削除しない登録処理部と、
を備えることを特徴とするストリーミングコンテンツの受信機。
【請求項２】
ネットワークを介してストリーミングコンテンツを受信する受信機であって、
ネットワークを介してデータを送受信する通信部と、
当該ストリーミングコンテンツの識別情報を登録する記憶部と、
前記通信部によって当該ストリーミングコンテンツのメタ情報を受信するメタ情報受信部と、
チャンネルごとに当該ストリーミングコンテンツのインデックスを所定の方向に配列させたチャンネルリストを表示し、当該インデックス上にそれぞれ前記メタ情報を表示するチャンネルリスト表示部と、
操作部の方向操作子によりいずれかの方向に移動する操作要素で当該インデックスを指し示し、指し示した当該インデックスを、前記操作部によって指示するコンテンツ決定部と、
前記操作部の決定操作子によって指示された当該インデックスが属する当該チャンネルリストについて、順番に当該ストリーミングコンテンツの本体を受信するコンテンツ受信部と、
受信した当該ストリーミングコンテンツを再生するコンテンツ再生部と、
前記操作部の登録操作子によって指示された当該ストリーミングコンテンツの識別情報を前記記憶部に登録する登録処理部と、を備え、
前記操作部のコンテンツ保存ボタンによって指示された当該ストリーミングコンテンツの本体を保存するストレージが接続されており、
前記登録処理部は、前記操作部の前記登録操作子によって指示された当該ストリーミングコンテンツの識別情報を前記記憶部に登録し、前記登録操作子によって決定された当該ストリーミングコンテンツの識別情報が既に前記記憶部に登録されていたならば、当該ストリーミングコンテンツの登録回数を１加算し、当該登録回数が第１所定回数以上ならば当該ストリーミングコンテンツの本体を前記ストレージに保存させ、
当該ストリーミングコンテンツの本体が前記ストレージに保存されており、かつ当該登録回数が第２所定回数以上ならば、前記記憶部に保存されている当該ストリーミングコンテンツの本体にライトプロテクトを掛け、
前記コンテンツ受信部は、前記操作部の決定操作子によって指示された当該インデックスが属する当該チャンネルリストのストリーミングコンテンツの本体が前記ストレージに保存されているならば、当該ストリーミングコンテンツの本体はネットワークを介して受信せず、
前記コンテンツ再生部は、前記ストレージに保存されている当該ストリーミングコンテンツを再生する、
ことを特徴とするストリーミングコンテンツの受信機。
【請求項３】
ネットワークを介してデータを送受信する通信部と、
ストリーミングコンテンツの識別情報を登録する記憶部とを備えた受信機が実行するストリーミングコンテンツの登録方法であって、
前記通信部によって当該ストリーミングコンテンツのメタ情報を受信するメタ情報受信ステップと、
チャンネルごとに当該ストリーミングコンテンツのインデックスを所定の方向に配列させたチャンネルリストを表示し、当該インデックス上にそれぞれ前記メタ情報を表示するチャンネルリスト表示ステップと、
操作部の方向操作子によりいずれかの方向に移動する操作要素で当該インデックスを指し示し、指し示した当該インデックスを、前記操作部によって指示するコンテンツ決定ステップと、
前記操作部の決定操作子によって指示された当該インデックスが属する当該チャンネルリストについて、順番に当該ストリーミングコンテンツの本体を受信するコンテンツ受信ステップと、
受信した当該ストリーミングコンテンツを再生するコンテンツ再生ステップと、
前記操作部の登録操作子によって指示された当該ストリーミングコンテンツの識別情報を前記記憶部に登録するステップと、
前記記憶部に識別情報が登録された当該ストリーミングコンテンツが、前記通信部によって受信できるか否かを判断するステップと、
前記ストリーミングコンテンツの本体が受信できなかったならば、前記通信部によって、ネットワークへの接続が可能であるか否かを判断するステップと、
ネットワークへ接続できたならば、既に削除されている当該ストリーミングコンテンツの本体にアクセスすることが無いように当該ストリーミングコンテンツの識別情報を前記記憶部から削除し、ネットワークへ接続できなかったならば、当該ストリーミングコンテンツの識別情報を前記記憶部から削除しないステップと、
を実行することを特徴とするストリーミングコンテンツの登録方法。
【発明の詳細な説明】
【技術分野】
【０００１】
本発明は、ネットワークを介してストリーミングコンテンツを受信する受信機に関する。
【背景技術】
【０００２】
近年、インターネットなどのネットワークを利用した動画配信サービスが普及し始めている。この動画配信サービスは、インターネットに接続されたサーバ上にストリーミングコンテンツ（動画コンテンツ）を格納し、各ユーザの要求に応じて当該ストリーミングコンテンツを送信するものである。現在の動画配信サービスは、コンピュータからマウスやキーボードなどの入力手段を用いてストリーミングコンテンツを検索し、当該ストリーミングコンテンツをコンピュータのモニタ上に表示することが前提となっている。
【０００３】
各家庭のリビングに設置されているテレビ受像機でテレビ放送を楽しむように、動画配信サービスによるストリーミングコンテンツをリビングのテレビ受像機で楽しめるような専用受信機も開発されている。例えば、出願人が開発したＲｏｃｋＴｕｂｅ（登録商標）などである。ＲｏｃｋＴｕｂｅ（登録商標）は、ユーザのお気に入りの動画のＵＲＬ（Uniform Resource Locator）を登録する機能と、ユーザの所望の動画をキャッシュして迅速に再生する機能を有している。
【０００４】
このような専用受信機は、リモートコントローラ（以下、「リモコン」という。）で制御する。リモコンによる入力は、廉価で場所を取らず、簡単な操作に適するという特徴があるが、複雑で迅速なキー操作は困難であるという欠点を有している。したがって、リモコンによって操作する専用受信機は、キーボードやマウスで操作するコンピュータとは異なり、ユーザ操作を極力排除して、自律的に動作することが求められる。
【０００５】
特許文献１には、サーバから配信されてきたコンテンツ情報をお気に入りのコンテンツ情報として表示制御端末に記憶させる際に、そのコンテンツ情報と指示画像とを対応付けしてその指示画像を選択表示画面に追加表示し、そのコンテンツ情報を特定するための識別情報をサーバ側に送信し、サーバ側でこの送信されてきた情報のうち、少なくとも最も多く登録されている識別情報を出力する発明が記載されている。
【０００６】
特許文献１に記載の発明は、段落００１７に記載されているように、利用者の嗜好を知るために、コンテンツの選択回数、選択頻度などの情報をサーバに送信する。
【０００７】
特許文献２の段落００１８には、ユーザからの指示により、任意の位置の音楽データから再生を開始することができるコンテンツ再生装置の発明が記載されている。
【先行技術文献】
【特許文献】
【０００８】
【特許文献１】特開２００３−１５０４９１号公報
【特許文献２】特開２００５−０５６２８９号公報
【発明の概要】
【発明が解決しようとする課題】
【０００９】
特許文献１に記載の発明は、動画配信サービスの提供者側が、利用者の嗜好を知るには有効である。しかし、利用者が自らの嗜好を知り、その嗜好に合ったコンテンツを繰り返し視聴するには、サーバに情報を送信せずともよい。
【００１０】
特許文献２に記載の発明は、単一のコンテンツの位置情報のみを記録している。複数のコンテンツを再生するよう自律的に再生（動作）する上では、そのまま適用することはできない。
また、複数のコンテンツを登録して、これらを再生する際には、これらのコンテンツが動画サーバに存在していなければならない。ストリーミングコンテンツの受信機は、登録したコンテンツが動画サーバから削除されていた場合に、不具合となるおそれがあった。
【００１１】
そこで、本発明は、ユーザの嗜好に合った複数のコンテンツを好適に管理することを可能とするストリーミングコンテンツの受信機を提供することを課題とする。
【課題を解決するための手段】
【００１２】
前記した課題を解決するため、本発明のストリーミングコンテンツの受信機は、以下のように構成した。
すなわち、本発明の請求項１に記載の発明では、ネットワークを介してストリーミングコンテンツを受信する受信機であって、ネットワークを介してデータを送受信する通信部と、当該ストリーミングコンテンツの識別情報を登録する記憶部と、
前記通信部によって当該ストリーミングコンテンツのメタ情報を受信するメタ情報受信部と、チャンネルごとに当該ストリーミングコンテンツのインデックスを所定の方向に配列させたチャンネルリストを表示し、当該インデックス上にそれぞれ前記メタ情報を表示するチャンネルリスト表示部と、操作部の方向操作子によりいずれかの方向に移動する操作要素で当該インデックスを指し示し、指し示した当該インデックスを、前記操作部によって指示するコンテンツ決定部と、前記操作部の決定操作子によって指示された当該インデックスが属する当該チャンネルリストについて、順番に当該ストリーミングコンテンツの本体を受信するコンテンツ受信部と、受信した当該ストリーミングコンテンツを再生するコンテンツ再生部と、前記操作部の登録操作子によって指示されて前記記憶部に識別情報が登録されたストリーミングコンテンツの本体を前記通信部によって受信できるか否かを判断し、更に前記ストリーミングコンテンツの本体が受信できなかったならば、前記通信部によってネットワークへの接続が可能であるか否かを判断し、ネットワークへ接続できたならば、既に削除されている当該ストリーミングコンテンツの本体にアクセスすることが無いように当該ストリーミングコンテンツの識別情報を前記記憶部から削除し、ネットワークへ接続できなかったならば、当該ストリーミングコンテンツの識別情報を前記記憶部から削除しない登録処理部と、を備えたことを特徴とするストリーミングコンテンツの受信機とした。
その他の手段については、発明を実施するための形態のなかで説明する。
【発明の効果】
【００１３】
本発明によれば、ユーザの嗜好に合った複数のコンテンツを好適に管理することを可能とするストリーミングコンテンツの受信機を提供することが可能となる。
【図面の簡単な説明】
【００１４】
【図１】本実施形態に於ける受信機を示す概略の構成図である。
【図２】本実施形態に於けるリモコンの構成を示す図である。
【図３】本実施形態に於けるリモコンキーと各メニューへの遷移を示す図である。
【図４】本実施形態に於けるお気に入りメニューと保存コンテンツメニューとを示す図である。
【図５】本実施形態に於ける受信機の起動後の状態遷移図である。
【図６】本実施形態に於ける動画モードの状態遷移図である。
【図７】本実施形態に於けるコンテンツ視聴モードの状態遷移図である。
【図８】本実施形態に於けるサービスメニューモードの状態遷移図である。
【図９】本実施形態に於けるお気に入りメニューモードの状態遷移図である。
【図１０】本実施形態に於ける保存コンテンツメニューモードの状態遷移図である。
【図１１】本実施形態に於けるお気に入りメニューの選択動作を示す図である。
【図１２】本実施形態に於けるお気に入りキー押下の際の処理を示すフローチャートである。
【図１３】本実施形態に於けるお気に入りメニュー存在チェック処理を示すフローチャートである。
【図１４】本実施形態に於けるコンテンツ保存キー押下の際の処理を示すフローチャートである。
【発明を実施するための形態】
【００１５】
以降、本発明を実施するための形態を、図を参照して詳細に説明する。
【００１６】
（本実施形態の構成）
図１は、本実施形態に於ける受信機を示す概略の構成図である。
受信機１０は、処理部１１と、通信部２０と、リモコン受信部２１と、記憶部２２と、不揮発性記憶部２３と、画像表示部２４と、外部インタフェース２５とを備えている。受信機１０は、ネットワーク１００を介してストリーミングコンテンツを受信するものである。受信機１０は、リモコン３０が送信する操作情報を、リモコン受信部２１によって受信し、当該操作情報に基いて動作する。
受信機１０の通信部２０は、インターネット（ネットワーク１００）を介して動画サーバ「Ａ」２００Ａ、動画サーバ「Ｂ」２００Ｂ、および、番組情報サーバ「Ａ」３００Ａに接続されている。以下、動画サーバ「Ａ」２００Ａ、動画サーバ「Ｂ」２００Ｂを区別しないときには、単に動画サーバ２００と記載する。
なお、以下で、ストリーミングコンテンツのことを、単に「コンテンツ」と記載している場合がある。
【００１７】
動画サーバ２００は、ストリーミングコンテンツを格納しているサーバであり、外部装置からの要求に応じて、格納しているストリーミングコンテンツを送信する。動画サーバ２００は、外部装置から検索情報を受信したとき、この検索情報に応じたストリーミングコンテンツのＵＲＬを送信する機能を有している。ここで検索情報とは、ストリーミングコンテンツのタイトル、ストリーミングコンテンツに付与されたキーワード、ストリーミングコンテンツを投稿した投稿者の名前などである。
【００１８】
更に、動画サーバ２００は、外部装置から、ストリーミングコンテンツの識別情報を受信したとき、当該識別情報に関連付けられたストリーミングコンテンツのＵＲＬを送信する機能を有している。当該ストリーミングコンテンツに関連付けられたストリーミングコンテンツは、一般的には「関連動画」と呼ばれている。
【００１９】
番組情報サーバ「Ａ」３００Ａは、所定のチャンネルに関するストリーミングコンテンツのメタ情報を格納しているサーバであり、外部装置からの要求に応じて、格納しているストリーミングコンテンツを送信するものである。
【００２０】
受信機１０は、画像表示部２４によって、例えば、ＨＤＭＩ（High-Definition Multimedia Interface）ケーブルを介して、テレビ５０に接続されている。受信機１０は、外部インタフェース２５によって、例えばＵＳＢ（Universal Serial Bus）ケーブルを介して、ストレージ４０に接続されている。
【００２１】
処理部１１は、例えば、ＣＰＵ（Central Processing Unit）がＲＡＭ（Random Access Memory）にソフトウェアプログラムを読込んで実行することによって具現化される。
【００２２】
通信部２０は、例えば、ネットワークインタフェースであり、ネットワーク１００に接続されている他の機器やサーバとの間で、相互にデータを通信するものである。
【００２３】
リモコン受信部２１は、リモコン３０から受信した赤外線信号などをデコードして、ユーザが押下したリモコン３０のキーの信号を受信するものである。リモコン３０は、テレビ５０に出力している画面上の操作要素であるフォーカス７７（図４）をいずれかの方向に操作する上下左右キー３２（図２）、および、この操作要素であるフォーカス７７を決定する決定キー３２ａ（図２）を有している。
記憶部２２は、例えば、ＲＡＭなどであり、一時的にデータなどを格納するものである。
【００２４】
不揮発性記憶部２３は、例えば、フラッシュメモリなどであり、データなどを格納すると共に、電源オフされているときでも格納しているデータを消失しないように構成されているものである。
画像表示部２４は、処理部１１の指示に応じて、画像データを生成して、外部表示装置であるテレビ５０に画像信号を出力するものである。
【００２５】
外部インタフェース２５は、例えば、ＵＳＢホストコントローラであり、外部に接続されているストレージ４０にデータを格納したり、ストレージ４０に格納されているデータを読み出したりするものである。
【００２６】
処理部１１は、メタ情報受信部１２と、チャンネルリスト表示部１５と、コンテンツ決定部１６と、コンテンツ受信部１７と、コンテンツ再生部１８と、お気に入り登録処理部１９ａと、コンテンツ保存登録処理部１９ｂとを備えている。メタ情報受信部１２は更に、テキスト情報受信部１３と、サムネイル情報受信部１４とを備えている。
【００２７】
メタ情報受信部１２は、通信部２０によって、各チャンネルに対応したストリーミングコンテンツのメタ情報を受信するものである。テキスト情報受信部１３は、メタ情報に含まれるテキスト情報を受信するものである。サムネイル情報受信部１４は、メタ情報に含まれるサムネイル情報を受信するものである。
ここで、チャンネルとは、検索情報によって検索されたストリーミングコンテンツのことをいう。チャンネルは、例えば、タイトルとキーワードによって検索されたストリーミングコンテンツ、投稿者によって検索されたストリーミングコンテンツ、または、所定のストリーミングコンテンツと関連付けられているストリーミングコンテンツである。これらの検索情報は、例えばタイトルとキーワードの組合せ、投稿者などであり、予め当該受信機１０の不揮発性記憶部２３に登録されている。
【００２８】
チャンネルリスト表示部１５は、チャンネルごとにストリーミングコンテンツのインデックス７３（図４）を縦方向に配列させたお気に入り列７１ｅ（図４）や保存コンテンツ列７１ｆ（図４）を表示し、インデックス７３（図４）上にそれぞれのメタ情報を表示するものである。受信機１０は、お気に入り列７１ｅや保存コンテンツ列７１ｆを、チャンネルリスト７１として内部的に取り扱う。なお、チャンネルリスト表示部１５は、インデックス７３を横方向に配列させたお気に入り列７１ｅ（図４）や保存コンテンツ列７１ｆ（図４）を表示してもよい。
【００２９】
コンテンツ決定部１６は、上下左右キー３２（図２）で操作するフォーカス７７（図４）によってインデックス７３（図４）を指し示し、指し示したインデックス７３（図４）を決定キー３２ａ（図２）によって決定するものである。
コンテンツ受信部１７は、ストリーミングコンテンツを通信部２０によって受信するものである。
コンテンツ再生部１８は、受信したストリーミングコンテンツを再生するものである。
お気に入り登録処理部１９ａは、リモコン３０によって決定された当該ストリーミングコンテンツのＵＲＬを不揮発性記憶部２３に記憶（登録）する。
コンテンツ保存登録処理部１９ｂは、リモコン３０によって決定された当該ストリーミングコンテンツ本体をストレージ４０に保存する。
【００３０】
図２は、本実施形態に於けるリモコンの構成を示す図である。
リモコン３０上部に、電源キー３１と、上キー３２Ｕと、下キー３２Ｄと、左キー３２Ｌと、右キー３２Ｒとを備えている。以下、上キー３２Ｕと、下キー３２Ｄと、左キー３２Ｌと、右キー３２Ｒとを総称して、上下左右キー３２と記載している場合がある。更に図面に於いて、上キー３２Ｕを上矢印、下キー３２Ｄを下矢印、左キー３２Ｌを左矢印、右キー３２Ｒを右矢印で示している場合がある。
【００３１】
電源キー３１は、この受信機１０の電源のオンとオフの指示を行うものである。上下左右キー３２は、操作要素を上下左右いずれかの方向に操作するものである。
更に、リモコン３０は、投稿者キー３３ａと、関連動画キー３３ｂと、番組表キー３３ｃと、戻るキー３３ｄとを備えている。
投稿者キー３３ａは、投稿者動画リスト７０ｃ（図３）を画面に表示するキーである。
関連動画キー３３ｂは、関連動画リスト７０ｄ（図３）を画面に表示するキーである。
番組表キー３３ｃは、番組表７０ａ（図３）を画面に表示するキーである。
戻るキー３３ｄは、現在表示している画面に遷移する１つ前の画面に戻るキーである。
【００３２】
更に、リモコン３０は下部に、表示順キー３４ａと、メニューキー３４ｂと、情報キー３４ｃと、リストキー３５ａと、お気に入りキー３５ｂと、コンテンツ保存キー３５ｃと、前チャンネルキー３６ａと、後チャンネルキー３６ｂと、検索キー３６ｃと、削除キー３７ａと、選択キー３７ｂと、ホームキー３７ｃとを備えている。なお、図面では、前チャンネルキー３６ａを三角形で示し、後チャンネルキー３６ｂを逆三角形で示している。
表示順キー３４ａは、チャンネルリスト７１であるお気に入り列７１ｅ（図３）や保存コンテンツ列７１ｆ（図３）に於けるストリーミングコンテンツの表示順番を切りかえるキーである。
メニューキー３４ｂは、メインメニューの表示（不図示）に遷移するキーである。
情報キー３４ｃは、現在再生中のストリーミングコンテンツのメタ情報を表示するキーである。
リストキー３５ａは、お気に入りメニュー８０（図３）または保存コンテンツメニュー８１（図４）を画面に表示するキーである。
登録操作子であるお気に入りキー３５ｂは、現在再生中の動画を、お気に入りメニュー８０（図３）に登録するものである。
登録操作子であるコンテンツ保存キー３５ｃは、現在再生中の動画を保存するものである。但し、保存されたコンテンツ再生中には、当該コンテンツ保存キー３５ｃの操作は無効となる。
前チャンネルキー３６ａは、前のチャンネルを選択するものである。
後チャンネルキー３６ｂは、後のチャンネルを選択するものである。
検索キー３６ｃは、検索画面（不図示）に遷移するものである。
削除操作子である削除キー３７ａは、現在選択しているインデックス７３を削除するものである。
選択キー３７ｂは、現在指し示しているインデックス７３を選択するものである。
ホームキー３７ｃは、ホーム画面であるメインメニューに遷移するものである。
【００３３】
図３は、本実施形態に於けるリモコンキーと各メニューへの遷移を示す図である。
２段目中央の画面９０−１は、ストリーミングコンテンツ（動画）を再生している画面である。以下、図３は、リモコン３０の上下左右キー３２に対応して、これらの押下によって遷移する画面９０−２〜９０−５を配置している。
更に、リモコン３０の上下左右キー３２の左下方向に配置された番組表キー３３ｃに対応して、図３の左下に、当該番組表キー３３ｃの押下で遷移する画面９０−６を配置している。リモコン３０の左上方向に配置された投稿者キー３３ａに対応して、図３の左上に、当該投稿者キー３３ａの押下で遷移する画面９０−７を配置している。リモコン３０の右上方向に配置された関連動画キー３３ｂに対応して、図３の右上に、当該関連動画キー３３ｂで遷移する画面９０−８を配置している。
１段目中央の画面９０−２は、画面９０−１に於いて、上キー３２Ｕが押されたときに遷移する画面である。受信機１０は、画面９０−２上部に、お気に入りメニュー８０を表示している。このように、受信機１０は、画面９０−２の上部にお気に入りメニュー８０を１行だけ表示しているので、再生中のコンテンツの視聴を妨げることなくお気に入りメニュー８０を選択可能である。更に、受信機１０は、上キー３２Ｕが押されたとき、画面上部にお気に入りメニュー８０を表示する。操作キーの位置とメニュー表示位置とが対応しているので、ユーザが当該機能を覚えやすくなるという効果がある。
【００３４】
２段目右側の画面９０−３は、画面９０−１に於いて、右キー３２Ｒが押されたときに遷移する画面である。受信機１０は、画面９０−３に早送りマークを表示し、再生中のコンテンツに対し、例えば１５秒のスキップを実行する。
【００３５】
３段目の画面９０−４は、画面９０−１に於いて、下キー３２Ｄが押されたときに遷移する画面である。受信機１０は、画面９０−４下部に、チャンネルメニュー７０ｂを表示している。このように、受信機１０は、画面９０−４の下部にチャンネルメニュー７０ｂを１行だけ表示しているので、再生中のストリーミングコンテンツの視聴を妨げることなくチャンネルを選択可能である。更に、受信機１０は、下キー３２Ｄが押されたとき、画面下部にチャンネルメニュー７０ｂを表示する。操作とメニュー表示位置とが対応しているので、ユーザが当該機能を覚えやすくなるという効果がある。
【００３６】
２段目左側の画面９０−５は、画面９０−１に於いて、左キー３２Ｌが押されたときに遷移する画面である。受信機１０は、画面９０−５に巻き戻しマークを表示し、再生中のコンテンツに対し、例えば１５秒の戻しを実行する。
３段目の画面９０−６は、画面９０−１に於いて、番組表キー３３ｃが押されたときに遷移する画面である。受信機１０は、画面９０−６に番組表７０ａを表示する。
【００３７】
１段目左側の画面９０−７は、画面９０−１に於いて、投稿者キー３３ａが押されたときに遷移する画面である。受信機１０は、画面９０−７に投稿者動画リスト７０ｃを表示する。このように、受信機１０は、画面９０−７の右部に１列だけ表示しているので、再生中のストリーミングコンテンツの視聴を妨げることなく、新たな別のストリーミングコンテンツを選択可能である。
【００３８】
ここで、投稿者動画リスト７０ｃとは、再生中のコンテンツを動画サーバ２００に投稿した（アップロードした）投稿者が、過去に当該動画サーバ２００に投稿したコンテンツ（動画）のリストのことをいう。
【００３９】
１段目右側の画面９０−８は、画面９０−１に於いて、関連動画キー３３ｂが押されたときに遷移する画面である。受信機１０は、画面９０−８に関連動画リスト７０ｄを表示する。このように、受信機１０は、画面９０−８の右部に１列だけ表示しているので、再生中のストリーミングコンテンツの視聴を妨げることなく、新たな別のストリーミングコンテンツを選択可能である。
ここで、関連動画リスト７０ｄとは、動画サーバ２００に於いて、再生中のコンテンツと予め関連付けられているコンテンツ（動画）のリストのことをいう。
【００４０】
図４（ａ）〜（ｃ）は、本実施形態に於けるお気に入りメニューと保存コンテンツメニューとを示す図である。
図４（ａ）は、お気に入りメニュー８０の全体の構成を示す図である。
お気に入りメニュー８０は、１行×４列のインデックス７３を備え、画面上部に表示されている。このお気に入りメニュー８０は、左側の１列の保存コンテンツ遷移インデックス８２を備え、その右側には３列のお気に入り列７１ｅ−１，…を備えている。以下、お気に入り列７１ｅ−１，…を特に区別しないときには、単にお気に入り列７１ｅと記載する。
【００４１】
保存コンテンツ遷移インデックス８２は、「コンテンツ保存へ」という文字列が表示されている。
お気に入り列７１ｅは、それぞれタイトル７２とインデックス７３とを備えている。タイトル７２は、お気に入り列７１ｅの上部に表示され、このお気に入り列７１ｅの属性を表示している。
お気に入り列７１ｅ−１のインデックス７３には、フォーカス７７が付与されており、操作要素であることを示している。お気に入り列７１ｅの各インデックス７３は、それぞれお気に入りに登録されたストリーミングコンテンツのメタ情報が表示されている。
各お気に入り列７１ｅは、全てのお気に入り登録したコンテンツを、集合に分けたものである。受信機１０は、お気に入り登録したコンテンツを１００個ごとの集合に分けて、各お気に入り列７１ｅとしている。当該受信機１０は、お気に入り列７１ｅを、チャンネルリスト７１のひとつとして取扱う。
【００４２】
保存コンテンツ遷移インデックス８２にフォーカス７７が付与されているとき、受信機１０は、決定キー３２ａの押下により保存コンテンツメニュー８１を表示する保存コンテンツメニューモードＭ３６（図１０）に遷移し、右キー３２Ｒの押下により、お気に入り列７１ｅ−１のインデックス７３にフォーカス７７を移動させる。
お気に入り列７１ｅ−１のインデックス７３にフォーカス７７が付与されているとき、受信機１０は、下キー３２Ｄの押下によりお気に入り列７１ｅ−１に２行目のインデックス７３が表示され、フォーカス７７が２行目のインデックス７３に移動する。受信機１０は、右キー３２Ｒの押下により、フォーカス７７が右側のインデックス７３に移動し、左キー３２Ｌの押下により、フォーカス７７が左側の保存コンテンツ遷移インデックス８２に移動する。
【００４３】
これら３列のインデックス７３のいずれかを決定すると、受信機１０は、決定したインデックス７３が指し示すストリーミングコンテンツを再生するモードに遷移する。
【００４４】
図４（ｂ）は、保存コンテンツメニュー８１の全体の構成を示す図である。
保存コンテンツメニュー８１は、１行×４列のインデックス７３を備え、画面上部に表示されている。保存コンテンツメニュー８１は、左側の１列にお気に入り遷移インデックス８３を備え、その右側には３列の保存コンテンツ列７１ｆ−１，…を備えている。以下、保存コンテンツ列７１ｆ−１，…を特に区別しないときには、単に保存コンテンツ列７１ｆと記載する。
【００４５】
お気に入り遷移インデックス８３は、「お気に入りへ」という文字列が表示されている。
保存コンテンツ列７１ｆは、それぞれタイトル７２とインデックス７３とを備えている。図４（ｂ）の保存コンテンツメニュー８１では、下キー３２Ｄが１回押下されているので、保存コンテンツ列７１ｆ−１は、タイトル７２と２行のインデックス７３とを備え、下側の行のインデックス７３にはフォーカス７７が付与されている。タイトル７２は、保存コンテンツ列７１ｆの上部に表示され、この保存コンテンツ列７１ｆの属性を表示している。
保存コンテンツ列７１ｆの各インデックス７３は、それぞれ保存されたストリーミングコンテンツのメタ情報が表示されている。
各保存コンテンツ列７１ｆは、全ての保存したコンテンツを、集合に分けたものである。受信機１０は、保存したコンテンツを１００個ごとの集合に分けて、各保存コンテンツ列７１ｆとしている。当該受信機１０は、保存コンテンツ列７１ｆを、チャンネルリスト７１のひとつとして取扱う。
【００４６】
お気に入り遷移インデックス８３にフォーカス７７が付与されているとき、受信機１０は、決定キー３２ａの押下によりお気に入りメニュー８０を表示するお気に入りメニューモードＭ３５（図９）に遷移し、右キー３２Ｒの押下により、保存コンテンツ列７１ｆ−１のインデックス７３にフォーカス７７を移動させる。
【００４７】
保存コンテンツ列７１ｆ−１のインデックス７３にフォーカス７７が付与されているとき、受信機１０は、下キー３２Ｄの押下により保存コンテンツ列７１ｆ−１に２行目のインデックス７３が表示され、フォーカス７７が２行目のインデックス７３に移動する。受信機１０は、右キー３２Ｒの押下により、フォーカス７７が右側のインデックス７３に移動し、左キー３２Ｌの押下により、フォーカス７７が左側のお気に入り遷移インデックス８３に移動する。
これら３列のインデックス７３のいずれかを決定すると、受信機１０は、決定したインデックス７３が指し示すストリーミングコンテンツを再生するモードに遷移する。
【００４８】
図４（ｃ）は、図４（ｂ）に示す保存コンテンツ列７１ｆに於いて、インデックス７３が縦方向に２行表示されている状態を拡大表示した図である。
インデックス７３は、左側にサムネイル７３ａを備え、右側上部から順に、タイトル表示７３ｂ−１と、投稿者表示７３ｂ−２と、再生時間表示７３ｂ−３と、再生回数表示７３ｂ−４と、評価表示７３ｂ−５とを備えている。更に、２番目に表示されているインデックス７３には、操作要素を示すフォーカス７７が付与され、枠線が太く強調表示されている。フォーカス７７が付与されているインデックス７３のタイトル表示７３ｂ−１は、タイトル文字が常に横方向にスクロールして表示されている。しかし、フォーカス７７が付与されていないインデックス７３のタイトル表示７３ｂ−１は、静止したタイトル文字が表示されている。
【００４９】
（本実施形態の動作）
図５は、本実施形態に於ける受信機の起動後の状態遷移図である。
受信機１０は、ＡＣ電源が接続されると、モードＭ１０に遷移する。
モードＭ１０に遷移したのち、受信機１０は、モードＭ１１に遷移する。
モードＭ１１に於いて、受信機１０は、起動処理を行ったのちにモードＭ１２に遷移する。
モードＭ１２に於いて、受信機１０は、接続されているテレビ５０の画面上に、スプラッシュスクリーンを所定時間に亘って表示する。受信機１０は、所定時間が経過すると、動画モードＭ１４に遷移する。
【００５０】
動画モードＭ１４に於いてホームキー３７ｃを押下すると、受信機１０は、メインメニューＭ１３に遷移する。
メインメニューＭ１３に於いて、受信機１０は、画面上に「動画モード」項目と「ＳＴＢ設定モード」項目の２つの設定メニュー項目を表示し、メインループＬ１３に遷移する。なお、ＳＴＢとは「Set Top Box」の略称である。
メインループＬ１３に於いて、受信機１０は、右キー３２Ｒと左キー３２Ｌとによって設定メニュー項目を選択する。
【００５１】
メインループＬ１３に於いて、受信機１０は、決定キー３２ａによって「動画モード」が決定されたならば、動画モードＭ１４に遷移し、決定キー３２ａによって「ＳＴＢ設定モード」が決定されたならば、ＳＴＢ設定モードＭ１５に遷移する。
【００５２】
図６は、本実施形態に於ける動画モードの状態遷移図である。
動画モードＭ１４は、受信機１０の起動後の状態遷移に於いて選択されるモードである。以下、モードＭ２０〜Ｍ３９ｂは、全て動画モードＭ１４に含まれている。
動画モードＭ１４のモードＭ２０に於いて、受信機１０は、不揮発性記憶部２３にレジューム情報が格納されているか否かを判断する。受信機１０は、レジューム情報が格納されていたならば（あり）、モードＭ２５に遷移し、レジューム情報が格納されていなかったならば（なし）、モードＭ２１に遷移する。
【００５３】
モードＭ２１に於いて、受信機１０は、不揮発性記憶部２３にデフォルトチャンネルの設定が格納されているか否かを判断する。受信機１０は、デフォルトチャンネルの設定が格納されてなかったならば（なし）、モードＭ２２に遷移し、デフォルトチャンネルの設定が格納されていたならば（あり）、モードＭ２３に遷移する。
モードＭ２２に於いて、受信機１０は、現在のチャンネルをチャンネル０に設定し、モードＭ２４に遷移する。
モードＭ２３に於いて、受信機１０は、現在のチャンネルをデフォルトチャンネルに設定し、モードＭ２４に遷移する。
【００５４】
モードＭ２４に於いて、受信機１０は、現在の動画をチャンネルの先頭に設定し、コンテンツ視聴モードＭ２７に遷移する。このコンテンツ視聴モードＭ２７は、後記する図７で詳細に説明する。
モードＭ２５に於いて、受信機１０は、現在のチャンネルを、レジューム情報に格納されていた保存コンテンツ列７１ｆに設定し、モードＭ２６に遷移する。
モードＭ２６に於いて、受信機１０は、現在の動画をレジューム情報に基いて設定し、コンテンツ視聴モードＭ２７に遷移する。
コンテンツ視聴モードＭ２７に於いて、受信機１０は、現在の動画を再生しつつ、イベントループＬ２７の入力待ちとなる。このとき、受信機１０は、各キーに応じて以下の動作を行う。
【００５５】
ホームキー３７ｃが押されると、受信機１０は、サービスメニューモードＭ２８に遷移する。このサービスメニューモードＭ２８は、後記する図８で詳細に説明する。
下キー３２Ｄが押されると、受信機１０は、チャンネルメニューモードＭ２９に遷移する。
番組表キー３３ｃが押されると、受信機１０は、番組表モードＭ３０に遷移する。
情報キー３４ｃが押されると、受信機１０は、ＯＳＤ（On Screen Display）表示モードＭ３１に遷移する。
左キー３２Ｌまたは右キー３２Ｒが押されると、受信機１０は、トリックプレイモードＭ３２に遷移する。
前チャンネルキー３６ａまたは後チャンネルキー３６ｂが押されると、受信機１０は、動画変更モードＭ３３に遷移する。
【００５６】
上キー３２Ｕが押されると、受信機１０は、モードＭ３４に遷移する。モードＭ３４に於いて、受信機１０は、ストリーミング再生中であったならば、お気に入りメニューモードＭ３５に遷移し、保存されたコンテンツ再生中であったならば、保存コンテンツメニューモードＭ３６に遷移する。お気に入りメニューモードＭ３５は、後記する図９で詳細に説明する。保存コンテンツメニューモードＭ３６は、後記する図１０で詳細に説明する。
お気に入りキー３５ｂが押されると、受信機１０は、お気に入り登録モードＭ３９ａに遷移する。お気に入り登録モードＭ３９ａの動作は、後記する図１２で詳細に説明する。
コンテンツ保存キー３５ｃが押されると、受信機１０は、コンテンツ保存モードＭ３９ｂに遷移する。コンテンツ保存モードＭ３９ｂの動作は、後記する図１４で詳細に説明する。
【００５７】
図７は、本実施形態に於けるコンテンツ視聴モードの状態遷移図である。
コンテンツ視聴モードＭ２７は、図６のイベントループＬ２７から遷移するモードである。以下、モードＭ４０〜Ｍ５５は、全て当該コンテンツ視聴モードＭ２７に含まれている。
【００５８】
コンテンツ視聴モードＭ２７のモードＭ４０に於いて、受信機１０は、再生状態を判断する。受信機１０は、停止状態であったならば、状態Ｌ４０に遷移し、再生中であったならば、モードＭ４１に遷移して再生停止し、更に状態Ｌ４０に遷移する。
状態Ｌ４０に於いて、受信機１０は、モードＭ４２に遷移して、ストレージ４０が接続されているか否かをチェックする。
【００５９】
モードＭ４２に於いて、受信機１０は、ストレージ４０のチェック結果がＯＫであるか否かを判断する。受信機１０は、当該条件が成立したならば（ＯＫ）、モードＭ４３に遷移し、当該条件が成立しなかったならば（ＮＧ）、モードＭ４５に遷移する。
【００６０】
モードＭ４３に於いて、受信機１０は、現在の動画が保存コンテンツメニュー８１に格納されているか否かを判断する。受信機１０は、当該条件が成立したならば（ＯＫ）、モードＭ４４に遷移し、当該条件が成立しなかったならば（ＮＧ）、モードＭ４５に遷移する。
モードＭ４４に於いて、受信機１０は、保存されたコンテンツであるストレージ４０に格納されている現在の動画を再生し、状態Ｌ４４に遷移する。
【００６１】
モードＭ４５に遷移すると、受信機１０は、ネットワークチェックを行う。すなわち、受信機１０は、ネットワーク１００に接続されているか否かを確認する。受信機１０は、当該条件が成立したならば（ＯＫ）、モードＭ４７に遷移し、当該条件が成立しなかったならば（ＮＧ）、モードＭ４６に遷移する。
モードＭ４６に於いて、受信機１０は、エラーを通知すると、再度モードＭ４５に戻る。
【００６２】
モードＭ４７に於いて、受信機１０は、ストリーミング再生を行って状態Ｌ４４に遷移し、自動コンテンツ保存ＯＮが設定されていたならば、並行してモードＭ４８に遷移する。
【００６３】
モードＭ４８に於いて、受信機１０は、保存されたコンテンツを格納しているストレージ４０が接続されていることをチェックする。受信機１０は、当該条件が成立したならば（ＯＫ）、モードＭ４９に遷移する。
【００６４】
モードＭ４９に於いて、受信機１０は、保存されたコンテンツに当該再生中のストリーミングコンテンツが格納されているか否かをチェックする。受信機１０は、当該条件が成立しなかったならば（ＮＧ）、モードＭ５０に遷移し、当該条件が成立したならば、以下の遷移は行わない。
【００６５】
モードＭ５０に於いて、受信機１０は、自動コンテンツ保存処理を実行する。すなわち、受信機１０は、再生しているストリーミングコンテンツを、逐次ストレージ４０に保存（格納）する。
【００６６】
状態Ｌ４４に遷移したのち、受信機１０は、モードＭ５１に於いて、再生状態を判断する。受信機１０は、再生成功ならば、再生中の処理であるモードＭ５２に遷移し、再生失敗ならば、モードＭ５３に遷移する。
【００６７】
モードＭ５２に於いて、受信機１０は、リモコン３０からキー情報を受信したか否かを判断する。受信機１０は、キー情報を受信したならばイベントループＬ２７（図６）に戻り、受信しなかったならば、状態Ｌ５２に遷移する。
モードＭ５３に於いて、受信機１０は、再生失敗の旨をエラー通知して状態Ｌ５２に遷移する。
【００６８】
状態Ｌ５２に於いて、受信機１０は、再生が終了したならば、モードＭ５４に遷移して現在の動画に、現在のチャンネルの次のコンテンツを設定する。受信機１０は、現在のチャンネルの次のコンテンツが設定できたならば（ＯＫ）、状態Ｌ５４に遷移し、チャンネル終端のために設定できなかったならば（チャンネル終端）、モードＭ５５に遷移する。
モードＭ５５に於いて、受信機１０は、現在の動画に、現在のチャンネルの先頭コンテンツを設定し、状態Ｌ５４に遷移する。
状態Ｌ５４に遷移したのち、受信機１０は、状態Ｌ４０に戻る。コンテンツ視聴モードＭ２７に於いて、受信機１０は、モードＭ４０〜Ｍ５５の処理を繰り返す。
【００６９】
図８は、本実施形態に於けるサービスメニューモードの状態遷移図である。
サービスメニューモードＭ２８は、イベントループＬ２７（図６）に於いて、ホームキー３７ｃを押したときに遷移するモードである。以下、モードＭ６０〜Ｍ７１は、全てサービスメニューモードＭ２８に含まれている。
【００７０】
サービスメニューモードＭ２８のモードＭ６０に遷移すると、受信機１０は、サービスメニューを画面に表示し、モードＭ６１に遷移する。このサービスメニューには、「ＳＴＢ設定」項目と、「動画モード設定」項目とが表示されている。
モードＭ６１に於いて、受信機１０は、左キー３２Ｌと右キー３２Ｒとによって、いずれかの設定メニュー項目を選択する。
【００７１】
イベントループＬ６１に於いて、受信機１０は、「ＳＴＢ設定」が選択された状態で決定キー３２ａが押下されたならば、ＳＴＢ設定モードＭ６２に遷移し、「動画モード設定」が選択された状態で決定キー３２ａが押下されたならば、動画モード設定モードＭ６３に遷移し、戻るキー３３ｄが押下されたならば、サービスメニューモードＭ２８を終了してイベントループＬ２７（図６）に戻る。
【００７２】
ＳＴＢ設定モードＭ６２に遷移すると、受信機１０は、当該受信機１０のハードウェア設定画面（不図示）を表示する。受信機１０は、設定内容が決定されたならば、再びモードＭ６１に戻る。
動画モード設定モードＭ６３に遷移すると、受信機１０は、動画に関する設定画面（不図示）を表示し、戻るキー３３ｄが押されたならば、再びモードＭ６１に戻る。
【００７３】
動画モード設定モードＭ６３に於いて、受信機１０は、サービスメニューに更に「チャンネル設定」項目と、「レジューム設定」項目と、「コンテンツ保存設定」項目とを表示する。ユーザは、上下左右キー３２と決定キー３２ａによって、「チャンネル設定」項目を決定するとチャンネル設定モードＭ６４に、「レジューム設定」項目を決定するとレジューム設定モードＭ６８に、「コンテンツ保存設定」項目を決定するとコンテンツ保存設定モードＭ７０に、それぞれ遷移可能である。
【００７４】
チャンネル設定モードＭ６４に遷移すると、受信機１０は、モードＭ６５に於いて、チャンネル１〜９に、検索情報であるキーワードが入力されたか否かを判断する。受信機１０は、モードＭ６６に於いて、画面に表示されたソフトウェアキーボードによってキーワードの入力を受け付けることも可能である。更に、受信機１０は、モードＭ６７に於いて、デフォルトチャンネルに、チャンネル番号を設定されたか否かを判断する。
レジューム設定モードＭ６８に遷移すると、受信機１０は、モードＭ６９に於いて、レジュームＯＮまたはレジュームＯＦＦが設定されたか否かを判断する。
【００７５】
コンテンツ保存設定モードＭ７０に遷移すると、受信機１０は、モードＭ７１に於いて、自動コンテンツ保存ＯＮまたは自動コンテンツ保存ＯＦＦが設定されたか否かを判断する。
【００７６】
図９は、本実施形態に於けるお気に入りメニューモードの状態遷移図である。
お気に入りメニューモードＭ３５は、イベントループＬ２７（図６）、かつ、ストリーミング再生中に於いて、上キー３２Ｕを押したときに遷移するモードである。お気に入りメニューモードＭ３５は、保存コンテンツメニューモードＭ３６から遷移するモードでもある。以下のモードＭ８０ｄ〜Ｍ９８は、全てお気に入りメニューモードＭ３５に含まれている。
【００７７】
モードＭ８０ｄに遷移すると、受信機１０は、お気に入りメニュー８０の表示と更新とを行い、モードＭ８１に於いて、全てのインデックス７３のサムネイル取得を行う。受信機１０は、サムネイル取得に失敗したならば、モードＭ８２に於いて、当該インデックス７３のサムネイル７３ａに、デフォルトの画像を表示する。
【００７８】
モードＭ８０ｄに於いて、受信機１０は、表示順キー３４ａが押されたことを検知すると、フォーカス７７が指し示すお気に入り列７１ｅのソート順番を切り替える。ソート順番は、デフォルトは動画サーバ２００が送付してきた順番であり、以下、タイトル順（昇順）、タイトル順（降順）、投稿日（昇順）、投稿日（降順）、再生時間（降順）、再生回数（降順）、評価（降順）、ユーザ再生回数（降順）、コンテンツ保存日（降順）、お気に入り登録回数（降順）、コンテンツの保存回数（降順）、お気に入り登録回数と保存回数との和（降順）に切り替える。お気に入り登録回数と保存回数との和（降順）の次は、再び動画サーバ２００が送付してきた順番に切り替える。しかし、これに限られず、受信機１０は、ストリーミングコンテンツのメタ情報に基いて、お気に入り列７１ｅを、いずれの順番に並べ替えてもよい。
【００７９】
モードＭ８０ｄに於いて、受信機１０は、所定時間が経過すると、モードＭ８４に遷移し、お気に入りメニュー８０を非表示とする。
モードＭ８４に於いて、受信機１０は、リモコン３０のキーのいずれかが押下されたことを検知すると、モードＭ８０ｄに遷移して、お気に入りメニュー８０を再表示する。
【００８０】
モードＭ８０ｄに於いて、受信機１０は、左キー３２Ｌまたは右キー３２Ｒが押されると、モードＭ８５ｄに遷移して、お気に入り列７１ｅのフォーカス７７の移動を行う。受信機１０は、フォーカス７７が画面外に移動してしまう場合には、モードＭ９０に遷移して、フォーカス７７が画面内になるように左右スクロールを行い、モードＭ８０ｄに戻る。
【００８１】
モードＭ８０ｄに於いて、受信機１０は、選択キー３７ｂが押されると、モードＭ８６に遷移して、当該インデックス７３（コンテンツ）を選択する。モードＭ８６に遷移したのち、受信機１０は、モードＭ８９に遷移して、フォーカス７７がメニュー外の場合にはお気に入り列７１ｅを上下にスクロールし、フォーカス７７が画面外の場合には、フォーカス７７が指し示すインデックス７３が画面に収まるようにお気に入り列７１ｅを上下にスクロールする。モードＭ８９の処理が終了すると、受信機１０は、モードＭ８０ｄに戻る。
【００８２】
モードＭ８０ｄに於いて、受信機１０は、前チャンネルキー３６ａまたは後チャンネルキー３６ｂが押されると、モードＭ８７に遷移して、当該インデックス７３（コンテンツ）を上下に移動する。モードＭ８７に遷移したのち、受信機１０は、モードＭ８９に遷移して、フォーカス７７がメニュー外の場合にはお気に入り列７１ｅを上下にスクロールし、フォーカス７７が画面外の場合には、フォーカス７７が指し示すインデックス７３が画面に収まるようにお気に入り列７１ｅを上下にスクロールする。モードＭ８９の処理が終了すると、受信機１０は、モードＭ８０ｄに戻る。
【００８３】
モードＭ８０ｄに於いて、受信機１０は、上キー３２Ｕまたは下キー３２Ｄが押されると、モードＭ８８に遷移して、コンテンツ間（インデックス７３間）のフォーカス７７の移動を行う。モードＭ８８に遷移したのち、受信機１０は、モードＭ８９に遷移して、フォーカス７７がメニュー外の場合にはお気に入り列７１ｅを上下にスクロールし、フォーカス７７が画面外の場合には、フォーカス７７が指し示すインデックス７３が画面に収まるようにお気に入り列７１ｅを上下にスクロールする。モードＭ８９の処理が終了すると、受信機１０は、モードＭ８０ｄに戻る。
【００８４】
モードＭ８０ｄに於いて、受信機１０は、削除キー３７ａが押されると、モードＭ９９に遷移して、当該コンテンツをお気に入りメニュー８０から削除し、モードＭ８９に遷移する。モードＭ８９に於いて、受信機１０は、フォーカス７７がメニュー外の場合にはお気に入り列７１ｅを上下にスクロールし、フォーカス７７が画面外の場合には、フォーカス７７が指し示すインデックス７３が画面に収まるようにお気に入り列７１ｅを上下にスクロールする。モードＭ８９の処理が終了すると、受信機１０は、モードＭ８０ｄに戻る。
【００８５】
モードＭ８０ｄに於いて、受信機１０は、決定キー３２ａが押されると、モードＭ９４ｄに遷移して、決定されたのは、「コンテンツ保存へ」が示された保存コンテンツ遷移インデックス８２、「コンテンツ」に係るインデックス７３のいずれであるかを判断する。
【００８６】
保存コンテンツ遷移インデックス８２が決定されたならば（［コンテンツ保存］選択）、受信機１０は、保存コンテンツメニューモードＭ３６に遷移して、保存コンテンツメニュー８１を表示／更新する。
【００８７】
インデックス７３が決定されたならば（コンテンツ選択）、受信機１０は、モードＭ９６ｄに遷移して、現在のチャンネルが現在のお気に入り列７１ｅと一致し、かつ、現在の動画が決定されたコンテンツと一致するか否かを判断する。受信機１０は、チャンネルとコンテンツとが一致したならば、チャンネルメニューモードＭ２９を終了してイベントループＬ２７に戻り、チャンネルまたはコンテンツが不一致であったならば、モードＭ９７ｄに遷移する。
【００８８】
モードＭ９７ｄに於いて、受信機１０は、現在のお気に入り列７１ｅを現在のチャンネルに設定し、決定されたコンテンツを現在の動画に設定し、モードＭ９８に遷移して、コンテンツ視聴を行う。このコンテンツ視聴は、選択したコンテンツ以外を順番に繰り返し再生するものである。
【００８９】
図１０は、本実施形態に於ける保存コンテンツメニューモードの状態遷移図である。
保存コンテンツメニューモードＭ３６は、イベントループＬ２７（図７）、かつ、保存されているコンテンツの再生中に於いて、上キー３２Ｕを押したときに遷移するモードである。保存コンテンツメニューモードＭ３６は、お気に入りメニューモードＭ３５から遷移するモードでもある。以下のモードＭ８０ｅ〜Ｍ９８は、全て保存コンテンツメニューモードＭ３６に含まれている。
【００９０】
保存コンテンツメニューモードＭ３６は、お気に入りメニューモードＭ３５のモードＭ８０ｄとは異なるモードＭ８０ｅに遷移し、お気に入りメニューモードＭ３５のモードＭ８５ｄとは異なるモードＭ８５ｅに遷移し、お気に入りメニューモードＭ３５のモードＭ９６ｄ，Ｍ９７ｄとは異なるモードＭ９６ｅ，Ｍ９７ｅに遷移する。それ以外のモードは、お気に入りメニューモードＭ３５のモードＭ８１〜Ｍ９８と同様である。
モードＭ８０ｅに於いて、受信機１０は、保存コンテンツメニュー８１の表示と更新とを行う。
モードＭ８５ｅに於いて、受信機１０は、保存コンテンツ列７１ｆ間に於いてフォーカス７７を移動する。
【００９１】
モードＭ９６ｅに於いて、受信機１０は、現在のチャンネルが現在の保存コンテンツ列７１ｆと一致し、かつ、現在の動画が決定されたコンテンツと一致するか否かを判断する。受信機１０は、チャンネルとコンテンツとが一致したならば、チャンネルメニューモードＭ２９を終了してイベントループＬ２７に戻り、チャンネルまたはコンテンツが不一致であったならば、モードＭ９７ｄに遷移する。
【００９２】
モードＭ９７ｅに於いて、受信機１０は、現在の保存コンテンツ列７１ｆを現在のチャンネルに設定し、決定されたコンテンツを現在の動画に設定し、モードＭ９８に遷移して、コンテンツ視聴を行う。
【００９３】
図１１（ａ）〜（ｄ）は、本実施形態に於けるお気に入りメニューの選択動作を示す図である。
図１１（ａ）は、イベントループＬ２７かつストリーミング再生中に、上キー３２Ｕを押下したときに表示される初期画面である。
画面上部には、お気に入りメニュー８０が表示されている。お気に入りメニュー８０は、保存コンテンツ遷移インデックス８２と、お気に入り列７１ｅ−１，…とを含んでいる。以下、各お気に入り列７１ｅ−１，…を特に区別しないときには、単にお気に入り列７１ｅと記載する。この保存コンテンツメニュー８１の下層には、再生中の動画が常に表示されている。各お気に入り列７１ｅは、すべて１行で表示されている。これにより、ユーザが、この保存コンテンツメニュー８１の下層に再生されている動画の視聴を妨げられることが少なくなる。お気に入り列７１ｅ−１のインデックス７３には、フォーカス７７が付与されている。
【００９４】
図１１（ｂ）は、図１１（ａ）の画面にて下キー３２Ｄを押下した際に遷移する画面である。
お気に入り列７１ｅ−１に於いて、インデックス７３が２行に亘って表示される。図１１（ａ）で表示されていたインデックス７３の下に、新たなインデックス７３が表示される。このとき、新たなインデックス７３に、フォーカス７７が付与される。
【００９５】
図１１（ｃ）は、図１１（ｂ）の画面にて下キー３２Ｄを押下した際に遷移する画面である。
お気に入り列７１ｅ−１に於いて、インデックス７３が３行に亘って表示される。図１１（ｂ）でフォーカス７７が付与されていたインデックス７３の下に、新たなインデックス７３が表示される。このとき、新たなインデックス７３に、フォーカス７７が付与される。このように、フォーカスしているお気に入り列７１ｅ−１のみが表示更新するので、お気に入り列７１ｅ−１の下層に再生されている動画の視聴を妨げることが少なくなると共に、画面更新の時間を少なくすることができる。
【００９６】
図１１（ｄ）は、図１１（ａ）〜（ｃ）の画面にて右キー３２Ｒを押下した際に遷移する画面である。
フォーカス７７は、お気に入り列７１ｅ−２のインデックス７３に付与されている。それと共に、お気に入り列７１ｅ−１は、インデックス７３が１行の表示となる。このように、お気に入り列７１ｅのフォーカス７７を変更する都度、それまで下部に長く表示されているお気に入り列７１ｅが１行の表示となるので、お気に入り列７１ｅ−１の下層に再生されている動画の視聴を妨げることが少なくなる。
【００９７】
図１２は、本実施形態に於けるお気に入りキー押下の際の処理を示すフローチャートである。
イベントループＬ２７（図６）に於いて、お気に入りキー３５ｂが押下されると、受信機１０の処理部１１は、図１２に示す処理を開始する。
ステップＳ１０に於いて、処理部１１のお気に入り登録処理部１９ａは、再生中の当該コンテンツは、お気に入りに登録済であるか否かを判断する。お気に入り登録処理部１９ａは、不揮発性記憶部２３からお気に入り登録されているコンテンツのＵＲＬを読出し、再生中の当該コンテンツのＵＲＬが含まれているか否かを判断する。お気に入り登録処理部１９ａは、当該判断条件が成立したならば（Ｙｅｓ）、ステップＳ１３の処理を行い、当該判断条件が成立しなかったならば（Ｎｏ）、ステップＳ１１の処理を行う。
【００９８】
ステップＳ１１に於いて、お気に入り登録処理部１９ａは、再生中の当該コンテンツをお気に入りに登録する。すなわち、お気に入り登録処理部１９ａは、不揮発性記憶部２３に、当該コンテンツのＵＲＬ情報を記憶させる。
【００９９】
ステップＳ１２に於いて、お気に入り登録処理部１９ａは、当該コンテンツの「お気に入り登録回数」を１に設定する。この「お気に入り登録回数」は、不揮発性記憶部２３に格納されている。ステップＳ１２の処理が終了すると、お気に入り登録処理部１９ａは、図１２の処理を終了する。
ステップＳ１３に於いて、お気に入り登録処理部１９ａは、当該コンテンツの「お気に入り登録回数」に１を加算する。ステップＳ１３の処理が終了すると、お気に入り登録処理部１９ａは、図１２の処理を終了する。
【０１００】
図１３は、本実施形態に於けるお気に入りメニュー存在チェック処理を示すフローチャートである。
モードＭ１１（図５）の起動処理に於いて、受信機１０の処理部１１（お気に入り登録処理部１９ａ）は、お気に入りメニュー存在チェック処理を行う。
ステップＳ２０〜Ｓ２４に於いて、お気に入り登録処理部１９ａは、全てのお気に入りコンテンツについて処理を繰り返す。
【０１０１】
ステップＳ２１に於いて、お気に入り登録処理部１９ａは、当該コンテンツは動画サーバ２００に存在しているか否かを判断する。すなわち、お気に入り登録処理部１９ａは、当該コンテンツのＵＲＬによって、当該コンテンツを受信できるか否かを判断する。お気に入り登録処理部１９ａは、当該判断条件が成立したならば（Ｙｅｓ）、ステップＳ２４の処理を行い、当該判断条件が成立しなかったならば（Ｎｏ）、ステップＳ２２の処理を行う。
【０１０２】
ステップＳ２２に於いて、お気に入り登録処理部１９ａは、通信部２０を介して、ネットワーク１００への接続が可能であるか否かを判断する。お気に入り登録処理部１９ａは、ネットワーク１００に接続できなかったならば（ＮＧ）、ステップＳ２４の処理を行い、ネットワーク１００に接続できたならば（ＯＫ）、ステップＳ２３の処理を行う。これにより、例えば、受信機１０がネットワーク１００に接続されていないなどの理由によって、動画サーバ２００にアクセスできないとき、お気に入り登録処理部１９ａが、全てのお気に入り登録を自動削除することを防ぐことができる。
【０１０３】
ステップＳ２３に於いて、お気に入り登録処理部１９ａは、お気に入り登録から当該コンテンツの情報（ＵＲＬなど）を削除する。このように、受信機１０は、動画サーバ２００から削除されているコンテンツのＵＲＬ（識別情報）を、自動でお気に入り登録から削除するので、既に動画サーバ２００から削除されているコンテンツにアクセスすることが無くなり、利便性が向上する。
【０１０４】
ステップＳ２４に於いて、お気に入り登録処理部１９ａは、全てのお気に入りコンテンツについて処理を繰り返したか否かを判断する。お気に入り登録処理部１９ａは、当該判断条件が成立しなかったならば、ステップＳ２０の処理に戻り、当該判断条件が成立したならば、図１３の処理を終了する。
【０１０５】
図１４は、本実施形態に於けるコンテンツ保存キー押下の際の処理を示すフローチャートである。
イベントループＬ２７（図６）に於いて、コンテンツ保存キー３５ｃが押下されると、受信機１０の処理部１１は、図１４に示す処理を開始する。
ステップＳ３０に於いて、処理部１１のコンテンツ保存登録処理部１９ｂは、当該受信機１０にストレージ４０が接続済であるか否かを判断する。コンテンツ保存登録処理部１９ｂは、当該判断条件が成立したならば（Ｙｅｓ）、ステップＳ３１の処理を行い、当該判断条件が成立しなかったならば（Ｎｏ）、図１４の処理を終了する。
【０１０６】
ステップＳ３１に於いて、コンテンツ保存登録処理部１９ｂは、再生中の当該コンテンツは、保存済（登録済）であるか否かを判断する。コンテンツ保存登録処理部１９ｂは、ストレージ４０に登録されているコンテンツの属性のひとつである識別情報（ＵＲＬ）を読出し、再生中の当該コンテンツの識別情報（ＵＲＬ）が含まれているか否かを判断する。コンテンツ保存登録処理部１９ｂは、当該判断条件が成立したならば（Ｙｅｓ）、ステップＳ３４の処理を行い、当該判断条件が成立しなかったならば（Ｎｏ）、ステップＳ３２の処理を行う。
【０１０７】
ステップＳ３２に於いて、コンテンツ保存登録処理部１９ｂは、再生中の当該コンテンツを保存（登録）する。すなわち、コンテンツ保存登録処理部１９ｂは、ストレージ４０に、当該コンテンツを蓄積させる。このとき、当該コンテンツ本体をコンテンツ保存するのみではなく、当該コンテンツのメタ情報、例えば、キーワード、投稿者、投稿日時、ＵＲＬなども、当該コンテンツ本体と関連づけてコンテンツ保存する。
【０１０８】
ステップＳ３３に於いて、コンテンツ保存登録処理部１９ｂは、当該コンテンツの「保存回数」を１に設定する。この「保存回数」は、ストレージ４０に格納されている。ステップＳ３３の処理が終了すると、コンテンツ保存登録処理部１９ｂは、図１４の処理を終了する。
ステップＳ３４に於いて、コンテンツ保存登録処理部１９ｂは、当該コンテンツの「保存回数」に１を加算する。ステップＳ３４の処理が終了すると、コンテンツ保存登録処理部１９ｂは、図１４の処理を終了する。
【０１０９】
（本実施形態の効果）
以上説明した本実施形態では、次の（Ａ）〜（Ｇ）のような効果がある。
【０１１０】
（Ａ）  受信機１０は、お気に入り登録を指示したコンテンツが、既にお気に入りに登録されていたときには、「お気に入り登録回数」を１加算する。更に受信機１０は、この「お気に入り登録回数」に基いて、お気に入り列７１ｅを並べ替えて表示する。これにより、ユーザは、当該ユーザの嗜好に基いた順番でお気に入り列７１ｅを並べて再生することができる。
【０１１１】
（Ｂ）  受信機１０のユーザは、お気に入りメニュー８０を表示して、お気に入り列７１ｅから、任意のインデックス７３（コンテンツ）を選択して再生させることができる。受信機１０は、当該選択したインデックス７３を、繰り返し再生する。これにより、ユーザは、お気に入り登録したコンテンツを、更に当該ユーザの嗜好に基いて選択し、繰り返し再生することができる。
【０１１２】
（Ｃ）  受信機１０のユーザは、お気に入りメニュー８０を表示して、お気に入り列７１ｅから、任意のインデックス７３（コンテンツ）を選択して削除することができる。これにより、お気に入り登録したコンテンツをメンテナンスして、ユーザの最新の嗜好を反映したものとすることができる。
【０１１３】
（Ｄ）  受信機１０は、モードＭ１１（図５）の起動処理に於いて、動画サーバ２００にアクセスしてお気に入り登録されているコンテンツの存在を確認している。受信機１０は、動画サーバ２００に存在しなくなった（削除された）コンテンツは、お気に入り登録から削除している。これにより、動画サーバ２００に存在しなくなったコンテンツにアクセスすることを抑止することができる。
【０１１４】
（Ｅ）  受信機１０は、保存を指示したコンテンツが、既にストレージ４０に保存されていたときには、「保存回数」を１加算する。更に受信機１０は、この「保存回数」に基いて、保存コンテンツ列７１ｆを並べ替えて表示する。これにより、ユーザは、当該ユーザの嗜好に基いた順番で保存コンテンツ列７１ｆを並べて再生することができる。
【０１１５】
（Ｆ）  受信機１０のユーザは、保存コンテンツメニュー８１を表示して、保存コンテンツ列７１ｆから、任意のインデックス７３（コンテンツ）を選択して再生させることができる。受信機１０は、当該選択したインデックス７３を、繰り返し再生する。これにより、ユーザは、保存したコンテンツを、更に当該ユーザの嗜好に基いて選択し、繰り返し再生することができる。
【０１１６】
（Ｇ）  受信機１０のユーザは、保存コンテンツメニュー８１を表示して、保存コンテンツ列７１ｆから、任意のインデックス７３（コンテンツ）を選択して削除することができる。これにより、保存したコンテンツをメンテナンスして、ユーザの最新の嗜好を反映したものとすることができる。
【０１１７】
（変形例）
本発明は、上記実施形態に限定されることなく、本発明の趣旨を逸脱しない範囲で、変更実施が可能である。この利用形態や変形例としては、例えば、次の（ａ）〜（ｆ）のようなものがある。
【０１１８】
（ａ）  受信機１０は、自動コンテンツ保存ＯＮでコンテンツ保存されたコンテンツの「保存回数」を０に設定し、自動コンテンツ保存ＯＦＦ状態に於いてコンテンツ保存キー３５ｃが押下された回数のみをカウントするようにしてもよい。これにより、受信機１０は、お気に入り登録されたコンテンツに於いて、ユーザが意図的にコンテンツ保存キー３５ｃを押した回数を記録することができる。
【０１１９】
（ｂ）  受信機１０は、コンテンツ保存に格納されているコンテンツを再生しているときに、お気に入りキー３５ｂが押下されたならば、コンテンツ保存キー３５ｃが押下されたものと見做して、コンテンツの保存回数を１加算するようにしてもよい。これにより、ユーザのコンテンツに対する「思い入れ」を記録することができる。
【０１２０】
（ｃ）  受信機１０は、コンテンツ保存に格納されているコンテンツが、お気に入り登録されており、当該お気に入り登録されたコンテンツが決定されたとき、動画サーバ２００から受信して再生するのではなく、保存したコンテンツを再生するようにしてもよい。
【０１２１】
（ｄ）  受信機１０は、同一コンテンツを所定回数以上、繰り返しお気に入り登録したら、当該コンテンツを自動でコンテンツ保存するようにしてもよい。
【０１２２】
（ｅ）  受信機１０は、保存したものと同一のコンテンツを、所定回数以上繰り返しお気に入り登録やコンテンツ保存したら、当該保存したコンテンツにライトプロテクトを掛けてもよい。これにより、受信機１０は、当該保存したコンテンツが誤って削除されてしまうことを抑止できる。
【０１２３】
（ｆ）  受信機１０は、お気に入りメニューモードＭ３５、保存コンテンツメニューモードＭ３６で、選択したコンテンツ以外のコンテンツを繰り返し再生している。しかし、受信機１０は、選択したコンテンツを繰り返し再生するようにしてもよい。
【符号の説明】
【０１２４】
１０  受信機
１１  処理部
１２  メタ情報受信部
１３  テキスト情報受信部
１４  サムネイル情報受信部
１５  チャンネルリスト表示部
１６  コンテンツ決定部
１７  コンテンツ受信部
１８  コンテンツ再生部
１９ａ  お気に入り登録処理部（登録処理部）
１９ｂ  コンテンツ保存登録処理部（登録処理部）
２０  通信部
２１  リモコン受信部
２２  記憶部
２４  画像表示部
３０  リモコン（操作部）
３２ａ  決定キー（決定操作子）
３２  上下左右キー（方向操作子）
３７ｂ  選択キー（選択操作子）
３７ａ  削除キー（削除操作子）
３５ｂ  お気に入りキー（登録操作子）
３５ｃ  コンテンツ保存キー（登録操作子）
４０  ストレージ
５０  テレビ
７０ａ  番組表
７０ｂ  チャンネルメニュー
７０ｃ  投稿者動画リスト
７０ｄ  関連動画リスト
７１  チャンネルリスト
７１ｅ  お気に入り列（チャンネルリスト）
７１ｆ  保存コンテンツ列（チャンネルリスト）
７２  タイトル
７３  インデックス
７３ａ  サムネイル
７３ｂ  テキスト情報表示
７４  読込指示インデックス
７６  チャンネルリストガイド
７７  フォーカス
８０  お気に入りメニュー
８１  保存コンテンツメニュー
１００  インターネット
２００  動画サーバ
３００  番組情報サーバ
【図１】
0005920738.tif 000002
【図２】
0005920738.tif 000003
【図３】
0005920738.tif 000004
【図４】
0005920738.tif 000005
【図５】
0005920738.tif 000006
【図６】
0005920738.tif 000007
【図７】
0005920738.tif 000008
【図８】
0005920738.tif 000009
【図９】
0005920738.tif 000010
【図１０】
0005920738.tif 000011
【図１１】
0005920738.tif 000012
【図１２】
0005920738.tif 000013
【図１３】
0005920738.tif 000014
【図１４】
0005920738.tif 000015